(57)【要約】      （修正有）【課題】火気を熱源としたこたつにおいて、暖気の流出を軽減させると共に不完全燃焼を軽減させ、安全かつ効率よく使用できるこたつ布団を提供する。【解決手段】こたつ布団１０は、こたつ櫓の天板と同じ広さの天板部Ａの四辺のそれぞれから、こたつ櫓を使用する床面に接しないように隙間を空ける長さまで延長し、こたつ櫓を周回して覆うための側面部Ｂ１を有し、側面部Ｂ１には、椅子を使用する箇所に、端部から天板部Ａに向けて、椅子の座面の高さまで椅子の座面の幅を有した開口部Ｃを備える。【選択図】図１
0003200629.tif 000002
【実用新案登録請求の範囲】
【請求項１】
火気を熱源とし、天板が方形のテーブルをこたつ櫓として使用し、椅子に腰掛けて利用するこたつに掛けるこたつ布団であって、こたつ櫓の天板と同じ広さの天板部の四辺のそれぞれから、こたつ櫓を使用する床面に接しないように隙間を空ける長さまで延長し、こたつ櫓を周回して覆うための側面部を有し、側面部には、椅子を使用する箇所に、端部から天板部に向けて、椅子の座面の高さまで椅子の座面の幅を有した開口部を備えることを特徴とするこたつ布団
【請求項２】
火気を熱源とし、天板が方形のテーブルをこたつ櫓として使用し、椅子に腰掛けて利用するこたつに掛けるこたつ布団であって、こたつ櫓の天板と同じ広さの天板部の四辺のそれぞれから、こたつ櫓を使用する床面に接しないように隙間を空ける長さまで延長し、こたつ櫓を周回して覆うための側面部を有し、側面部には、椅子を使用する箇所に、端部から天板部に向けて、椅子の座面の高さまで椅子の座面の幅の間隔をあけた２本の切り込みを備えることを特徴とするこたつ布団
【請求項３】
前記側面部に有する２本の切り込みの間に、当該側面部の端部から天板部に向けて椅子の座面の高さまで、前記２本の切り込みとは別途に少なくとも１本の切り込みを備えることを特徴とする請求項２に記載のこたつ布団
【請求項４】
前記側面部は、当該こたつ櫓を周回して覆う際に、隣り合う側面部どうしを天板部から端部の方向に向けて、少なくとも前記椅子の開口部までの高さに相当するところまで結合する結合手段を有することを特徴とする請求項１〜請求項３のいずれか一項に記載のこたつ布団
【考案の詳細な説明】
【技術分野】
【０００１】
本考案は、例えば石炭や練炭等の化石燃料や、プロパンガスや天然ガス等の火気を熱源とするこたつに使用するこたつ布団である。
【背景技術】
【０００２】
近年のこたつは、電気器具を熱源とするもの（以下、電気こたつ）が広く知られている。よって例えば電気の使用が出来ないアウトドアや寒気のキャンプ場、屋外でのイベント会場では、焚き火やストーブ等で暖を得ることもあるが、より暖かい暖房器具として火気を熱源とするこたつを使用する事がより効果的である。また大きな災害時において、避難施設への電気の供給がストップしている時も同様である。
一方、こたつ布団に関して特許文献１〜４に示すような従来技術が広く知られている。これらの従来技術は電気こたつの普及により、火気に対する安全性よりも、こたつの暖気を逃がさない事を目的として開発された技術である。
【先行技術文献】
【特許文献】
【０００３】
【特許文献１】実用新案登録第３１７００４７号
【特許文献２】実用新案登録第３１８２２３３号
【特許文献３】実用新案登録第３１９２１７２号
【特許文献４】特開２０１４−１８５９７号
【考案の概要】
【考案が解決しようとする課題】
【０００４】
火気を熱源とするこたつは、不完全燃焼による一酸化炭素中毒の危険性が存在する。しかし従来のこたつ布団では火気の熱を逃がさず暖かくすることを目的としているため、不完全燃焼の危険性が高い。この危険性を回避するためには定期的に一定時間の空気の入れ替えを必要とした、これを実施する手間があると共に、せっかく暖められた空気を逃がすという欠点がある。
【課題を解決するための手段】
【０００５】
本考案の請求項１に記載のこたつ布団は、火気を熱源とし、天板が方形のテーブルをこたつ櫓として使用し、椅子に腰掛けて利用するこたつに掛けるこたつたつ布団であって、こたつ櫓の天板と同じ広さの天板部Ａの四辺のそれぞれから、こたつ櫓を使用する床面に接しないように隙間を空ける長さまで延長し、当該こたつ櫓を周回して覆うための側面部Ｂ１を有し、側面部Ｂ１には、椅子を使用する箇所に、端部から天板部Ａに向けて、椅子の座面の高さまで椅子の座面の幅を有した開口部を備えることで、使用時のこたつ布団内上に暖気を溜め、側面部の床面との隙間から新鮮な空気を取り入れ、且つ使用する椅子の側部から暖気が漏れることを防ぐことができる。
本考案の請求項２に記載のこたつ布団は、火気を熱源とし、天板が方形のテーブルをこたつ櫓として使用し、椅子に腰掛けて利用するこたつに掛けるこたつ布団であって、こたつ櫓の天板と同じ広さの天板部Ａの四辺のそれぞれから、こたつ櫓を使用する床面に接しないように隙間を空ける長さまで延長し、当該こたつ櫓を周回して覆うための側面部Ｂ２を有し、側面部Ｂ２には、椅子を使用する箇所に、端部から天板部に向けて、椅子の座面の高さ１まで椅子の座面の幅３の間隔をあけた２本の切り込みを備えることにより、椅子に腰かける人がいない場合に暖気が漏れにくくなる。
本考案の請求項３に記載のこたつ布団は、請求項２に記載のこたつ布団において前記側面部に有する２本の切り込みの間に、当該側面部の端部から天板部に向けて椅子の座面の高さまで、前記２本の切り込みとは別途に少なくとも１本の切り込みを備えることにより、椅子に腰かけて使用する際にこたつ布団に足を容易に入れることができる。
請求項１〜請求項３のいずれか一項に記載のこたつ布団において、当該こたつ櫓を周回して覆う際に、隣り合う側面部どうしを天板部から端部の方向に向けて、少なくとも前記椅子の開口部までの高さに相当するところまで結合する結合手段を有することにより、使用時のこたつ布団内上部に溜まった暖気が漏れにくくなる。
【考案の効果】
【０００６】
以上の如く、本考案のこたつ布団は、火気を使用して暖められた暖気の外部への流出を軽減知ると共に、熱源である火気に常時新鮮な空気を供給することにより、不完全燃焼を軽減し安全に使用する事が出来る。
【図面の簡単な説明】
【０００７】
【図１】本考案の実施例１のこたつ布団１０の展開図である。
【図２】本考案の実施例２のこたつ布団２０の請求項２の展開図である。
【図３】本考案のこたつ布団１０の完成形の斜視図である。
【図４】本考案のこたつ布団１０を実際に使用している斜視図である。
【考案を実施するための形態】
【０００８】
本考案の実施の形態について図面を引用しながら詳細に説明する。また、本実施の形態では４本の脚を有する方形のテーブルをこたつ櫓とし、天板部の格辺に椅子一脚、四辺の合計で４脚の椅子を使用するものとして説明する。
【実施例１】
【０００９】
図１は、実施例１に係わる本考案のこたつ布団１０の展開図である。
こたつ布団１０は、こたつ櫓として使用するテーブルの天板と同じ大きさの天板部Ａを有し、その各辺を延長させた側面部Ｂ１を有する。側面部Ｂ１は、こたつ櫓を使用する床面に接しないように隙間を空ける長さ２まで延長する。また、側面部Ｂ１は、隣接する両辺ｂを結合することにより、テーブルを周回する形状となり、本こたつ布団に使用する椅子を挿入できる開口部Ｃを持つ。この時、隣接する両辺ｂは、少なくとも椅子の座面の高さ１に相当する箇所まで接合するとしても良い。また、開口部Ｃは、椅子の座面の高さまでの長さ１と、椅子の座面の幅３を有する。
以上の構成により、実施例１に係わる本考案のこたつ布団１０は、こたつ櫓として使用するテーブルを周回して覆った際に、椅子の座面までの高さ１のこたつ布団上部に暖気を溜めることができ、使用する椅子に合わせて開口部を空けることで椅子の側面から暖気の流出を軽減させることができ、更に全ての椅子に座って使用する場合であっても、側面部Ｂ１と床面との隙間から新鮮な空気を取り入れることで不完全燃焼を防止することが可能となる。
【００１０】
図３は、本考案のこたつ布団１０の完成形を実際にこたつ櫓に被せている斜視図である。
図４は、本考案のこたつ布団１０を実際に使用している斜視図である。
こたつ布団１０は、開口部Ｃを有しているので、使用者は椅子に座った状態でこたつの中に足を容易に入れて暖気を得ることができ、且つ、開口部は使用する椅子のサイズに合わせて開けているため、暖気を外部に流出させる事を軽減させると共に、側面部Ｂ１と床面との隙間から常に新鮮な空気を供給することにより、不完全燃焼も軽減し、安全に使用する事ができる。
【実施例２】
【００１１】
図２は、本考案のこたつ布団２０の展開図である。
こたつ布団２０は、前述した実施例１の開口部Ｃ以外は、こたつ布団１０と同じ構成である。
こたつ布団２０は、側面部Ｂ２の椅子を使用する箇所に切り込みＤを入れることで、椅子に座って使用する際に実施例１の開口部と同じように、使用者はこたつの中に足を入れて暖気を得ることが出来る。この切り込みＤは、本こたつに使用する椅子の座面の高さ１まで側面部Ｂ２の端部から切り込みを入れる構成である。また切り込みＤは、本こたつに使用する椅子の座面の幅３に沿って２本入れる切り込みＤ１と、その２本の切り込みＤ１の間に同じ高さ１まで入れる１本の切り込みＤ２で構成されている。この時、切り込みＤ１及びＤ２は、ファスナーや面ファスナーやボタン等によって閉じる手段を有していても良いし、切り込みＤ２は複数であっても良い。また、切り込みＤ２があることで、切り込みＤ１のみの場合よりも更に足を入れやすくなる効果を有するが、当然ながら切り込みＤ２が無い場合の効果を否定するものではない。
更に、実施例２は、本こたつに使用する椅子の数より少ない人数で使用する際に、開口部Ｃではなく切り込みＤを有しているため、椅子を使用していない側面からの暖気の流出を防止することが出来る。
【産業上の利用可能性】
【００１２】
いわゆる天災により指定された避難所や、屋外でのイベント会場または屋外でのレジャー等、電気の供給ができない場所や電気の使用量が制限された場所において、火気を熱源として安全に暖を提供することができる。
【符号の説明】
【００１３】
Ａ    天板部
Ｂ１  側面部
Ｂ２  側面部
Ｃ    開口部
Ｄ１  切り込み
Ｄ２  切り込み
Ｅ    こたつ櫓として使用するテーブルの脚
Ｆ    使用者の足（大腿部）
Ｇ    椅子の座部
１    側面部の開口部の高さ（椅子の座面の高さまでの長さ）
２    側面部の長さ
３    開口部の幅（椅子の座面の幅）
１０  こたつ布団
２０  こたつ布団
【図１】
0003200629.tif 000003
【図２】
0003200629.tif 000004
【図３】
0003200629.tif 000005
【図４】
0003200629.tif 000006